(57)【要約】【課題】カラオケ装置と携帯型音楽再生装置（ＤＡＰ）を連携させることにより、利用者がカラオケ装置において、普段ＤＡＰで聴いている楽曲を選曲した際に、所望の音階を容易に設定可能な携帯型音楽再生装置及びカラオケシステムを提供する。【解決手段】カラオケ装置と携帯型音楽再生装置とを通信可能とし、携帯型音声再生装置はカラオケ装置による再生楽曲の音階と自身が有する楽曲の音階とを比較し、両者が異なる場合にカラオケ装置にキー変更を要求し、カラオケ装置は携帯型音楽再生装置によって設定されたキー情報に基づいて、再生される楽曲の音階を変更する。【選択図】図１
2008216769.tif 000002
【特許請求の範囲】
【請求項１】
複数の楽曲のそれぞれについて、楽曲演奏に使用する演奏情報と、楽曲を特定するための楽曲情報と、を関連づけて記憶された記憶手段と、
前記記憶手段に格納されている複数の楽曲の中から選択された楽曲に対応する演奏情報に基づいて、再生音声信号を生成し出力する再生手段と、を有する携帯型音楽再生装置であって、
複数の楽曲の中から選択された楽曲を再生可能なカラオケ装置との間で各種情報を送受信可能な通信手段と、
外部からの音声信号を取得可能な音声信号取得手段と、
前記カラオケ装置で再生される再生楽曲に対応する情報が前記記憶手段に格納されているか検索する再生楽曲検索手段と、
前記再生楽曲検索手段により検索された楽曲に対応する演奏情報に基づいて生成される第２音声信号と、前記音声信号取得手段によって取得された第１音声信号とを比較し、音階の違いを特定可能なキー解析手段と、
該キー解析手段による解析情報を前記カラオケ装置に送信するキー設定手段と、を有することを特徴とする携帯型音楽再生装置。
【請求項２】
複数の楽曲の中から選択された楽曲に対応する第１演奏情報に基づいて当該楽曲を再生可能なカラオケ装置と、前記カラオケ装置と各種情報を送受信可能な携帯型音楽再生装置と、で構成されるカラオケシステムにおいて、
前記携帯型音楽再生装置は、
複数の楽曲のそれぞれについて、楽曲演奏に使用する第２演奏情報と、楽曲を特定するための楽曲情報と、を関連づけて記憶された記憶手段と、
前記複数の楽曲の中から選択された楽曲に対応する第２演奏情報に基づいて、再生音声信号を生成し出力する再生手段と、
外部からの音声信号を取得可能な音声信号取得手段と、
前記カラオケ装置で再生される再生楽曲に対応する情報が前記第記憶手段に格納されているか検索する再生楽曲検索手段と、
前記再生楽曲検索手段により検索された楽曲に対応する第２演奏情報に基づいて生成される第２音声信号と、前記音声信号取得手段によって取得された第１音声信号とを比較し、音階の違いを特定可能なキー解析手段と、
前記キー解析手段による解析情報を前記カラオケ装置に送信するキー設定手段と、を有し、
前記カラオケ装置は、前記キー設定手段によって送信された解析情報に基づいて、前記第１演奏情報に所定の信号処理を施して再生楽曲の音階を変更可能であることを特徴とするカラオケシステム。
【請求項３】
前記音声信号取得手段は、ライン入力手段またはマイク入力手段を含み、
前記キー解析手段は、前記第２演奏情報に基づいて生成されたアナログ音声信号を前記第１音声信号とし、前記ライン入力手段または前記マイク入力手段から入力されたアナログ音声信号を前記第２音声信号として、両者の音階の違いを特定することを特徴とする請求項２に記載のカラオケシステム。
【請求項４】
前記音声信号取得手段は、ライン入力手段またはマイク入力手段を含み、
前記キー解析手段は、前記第２演奏情報に基づいて生成されたディジタル音声信号を前記第１音声信号とし、前記ライン入力手段または前記マイク入力手段から入力されたアナログ音声信号をディジタル変換したディジタル音声信号を前記第２音声信号として、両者の音階の違いを特定することを特徴とする請求項２に記載のカラオケシステム。
【請求項５】
前記音声信号取得手段は、前記カラオケ装置から送信された前記再生楽曲に対応する第１演奏情報を取得可能で、
前記キー解析手段は、前記第２演奏情報に基づいて生成されたディジタル音声信号を前記第１音声信号とし、前記音声信号取得手段により前記第１演奏情報に基づいて生成されたディジタル音声信号を前記第２音声信号として、両者の音階の違いを特定することを特徴とする請求項２に記載のカラオケシステム。
【請求項６】
前記再生楽曲検索手段は、前記カラオケ装置で再生される再生楽曲に対応する楽曲情報を要求するとともに、前記カラオケ装置から提供された楽曲情報と前記記憶手段に格納されている楽曲情報とを比較することにより、当該再生楽曲に対応する情報が前記記憶手段に格納されているか検索することを特徴とする請求項２から５のいずれか一項に記載のカラオケシステム。
【請求項７】
前記キー解析手段は、前記カラオケ装置における楽曲の再生処理が開始されてから、当該楽曲の再生が終了するまで、繰り返しキー解析処理を行うことを特徴とする請求項２から６のいずれか一項に記載のカラオケシステム。
【発明の詳細な説明】
【技術分野】
【０００１】
本発明は、携帯型音楽再生装置及びカラオケシステムに関する。
【背景技術】
【０００２】
従来、カラオケ利用者は、カラオケ装置に所望の楽曲を再生させる際、カラオケ装置本体に備えられた操作ボタン、または、リモコン装置に備えられた操作ボタンを用いて複数の楽曲の中から所望の楽曲を選択する。ここで、楽曲の選択は、例えば、それぞれの楽曲に対して設定されている曲番号（同一の楽曲であっても楽曲提供者によって曲番号は異なる）を入力することによって行われる。
【０００３】
また、通常のカラオケ装置は、利用者が自分の音域（声域）に合わせて音階（キー）を上下に変更できる機能を備えている。例えば、キー変更ボタン（・・，−２，−１，０，＋１，＋２，・・）により、音階を半音単位で変更できる。また、特許文献１には、カラオケ装置におけるキー変更を、より簡単な操作で実現できるようにした技術が開示されている。
【０００４】
図７は、従来のカラオケ装置１００Ａの概略構成を示すブロック図である。
図７に示すように、カラオケ装置１００Ａは、楽曲の演奏に使用する演奏情報（例えば、リニアＰＣＭ形式のディジタル音声データ等）と楽曲に対応する曲番号、曲名、アーティスト名等を含む楽曲情報が格納されたストレージ（データベース）１０１と、演奏情報にデコード処理、Ｄ／Ａ変換処理等の所定の信号処理を施してアナログの再生音声信号を生成する再生処理部１０２と、再生音声信号を増幅してスピーカ等へ出力する音声出力部１０３と、各ブロックの動作を制御する制御部１０４と、再生させる楽曲を選曲したりキー変更を行ったりするための操作部１０５と、を備えて構成される。このカラオケ装置１００Ａにおいて楽曲の再生は以下のようにして行われる。
【０００５】
図８は、従来のカラオケ装置１００Ａにおける曲再生制御処理について示したフローチャートである。この曲再生制御処理は、制御部１０４によって所定のプログラムが実行されることにより行われる。
【０００６】
まず、ステップＳ３０１において、制御部１０４は、操作部１０５からの入力信号に基づいて曲番号が入力され選曲されたか判定し、曲番号が入力された場合はステップＳ３０２に移行する。
【０００７】
ステップＳ３０２では、入力された曲番号に基づいてデータベース１０１を検索する（曲検索処理）。そして、入力された曲番号に対応する楽曲が検索された場合は、当該楽曲の演奏情報を読み出し、曲再生処理の準備をする。一方、入力された曲番号に対応する楽曲が検索されなかった場合は、ステップＳ３０１に移行し、選曲があるまで待機することとなる。
【０００８】
ステップＳ３０３では、操作部１０５からの入力信号に基づいて楽曲のキー変更を行う（キー変更処理）。具体的には、利用者が操作部１０５に設けられたキー変更ボタンを操作することによりキー変更を指示した場合に、制御部１０４は再生処理部１０２にキー変更を命令する。
【０００９】
ステップＳ３０４では、ステップＳ３０２においてデータベース１０１から読み出された演奏情報に基づいて、再生処理部１０２に曲再生処理を行わせる。具体的には、演奏情報にデコード処理やＤ／Ａ変換処理を施してアナログの再生音声信号を生成させる。このとき、ステップＳ３０３においてキー変更が指示された場合は、元の演奏情報（データベース１０１から読み出された演奏情報）にキー変更を反映する信号処理を施して、再生音声信号を生成することとなる。
【００１０】
次いで、ステップＳ３０５で曲の再生が終了したか判定し、曲が終了するまでステップＳ３０３〜Ｓ３０５の処理を繰り返す。すなわち、楽曲を再生している途中でキー変更の指示がなされた場合は、それ以降の曲再生においてキー変更が反映されることとなる。
【００１１】
上述したように、従来のカラオケ装置１００Ａでは、楽曲を再生するにあたり、カラオケ装置が備えるキー変更機能を利用して、キー変更ボタンを操作することで楽曲の音階を変更することができる。
【特許文献１】特開２００４−１３８６３５号公報
【発明の開示】
【発明が解決しようとする課題】
【００１２】
ところで、近年では携帯型音楽再生装置（以下、ＤＡＰ：Digital Audio Playerと称する）の普及が目覚ましく、利用者はシーンを問わずに手軽に楽曲を聴くことができる。
【００１３】
図９は、従来のＤＡＰ２００Ａの概略構成を示すブロック図である。
図９に示すように、ＤＡＰ２００Ａは、楽曲を選択するための操作部２０１と、楽曲演奏に使用する演奏情報（例えば、ＭＰ３形式のディジタル音声データ）と、楽曲に対応する曲名、アーティスト名等の楽曲情報、及びプレイリストが格納されるストレージ（例えば、フラッシュメモリやＨＤＤ）２０２と、演奏情報にデコード処理、Ｄ／Ａ変換処理等の所定の信号処理を施してアナログの再生音声信号を生成する再生処理部２０３と、再生音声信号を増幅してヘッドホン等へ出力する音声出力部２０４と、各ブロックの動作を制御する制御部２０５と、を備えて構成される。
【００１４】
このＤＡＰ２００Ａを用いて楽曲を聴く場合、利用者は、例えば、市販のオーディオＣＤやインターネット経由で原曲の演奏情報を入手し、ストレージ２０２に格納しておく。そして、操作部２０１を操作して、ストレージ２０２に格納された楽曲の中から所望の楽曲を選択することで、当該楽曲に対応する演奏情報に基づいて再生音声信号を生成させ出力させる。
【００１５】
このようなＤＡＰ利用者は、カラオケ装置を利用する際、普段ＤＡＰで聴いている楽曲を選曲し、自分で歌唱しようとする場合が多々ある。しかしながら、自分が普段ＤＡＰで聴いている楽曲の音階と、カラオケ装置で再生される楽曲の音階は、必ずしも同じであるとは限らない。
【００１６】
例えば、カラオケ装置のデータベースに格納されている演奏情報は、一般的な人が歌い易いように原曲（例えば、市販のオーディオＣＤに収録されている曲）に対して予めキー変更処理がなされている場合がある。また例えば、カラオケ用の演奏情報を作成するベンダーのミスによって、原曲とは異なる音階となっている場合もある。一方、ＤＡＰのストレージに格納された演奏情報が特殊なエンコード処理（ソフト的に容易に実現可能）を施されており、原曲とは異なる音階となっている場合もある。
【００１７】
このような場合、楽曲が同じであっても、自分が普段ＤＡＰで聴いている音階と、カラオケ装置で再生される音階は異なることとなるので、利用者が違和感を覚える虞がある。また、利用者が、カラオケ装置で再生されている楽曲の音階を普段ＤＡＰで聴いている音階に合わせようとする場合、カラオケ装置の操作部を操作してキー変更を指示すると考えられるが、カラオケ装置による再生音を聴きながら音階を調整することは容易ではなく、当該楽曲を歌唱するのに支障をきたす虞もある。
【００１８】
また一方で、自分より前に他の人がカラオケ装置を利用しており、カラオケ装置本体のキー設定が変更され、再生される楽曲が変更されてもキー設定はリセットされない状態となっていた場合、そのキー設定で選曲した楽曲が再生されると、本来のキー設定ではない音階で楽曲が再生されてしまうこととなる。このような場合も、利用者はカラオケ装置の操作部を操作してキー変更したり、キー設定のリセットを指示したりする必要があり手間となる。
【００１９】
本発明は、カラオケ装置と携帯型音楽再生装置（ＤＡＰ）を連携させることにより、利用者がカラオケ装置において、普段、携帯型音楽再生装置で聴いている楽曲を選曲した際に、所望の音階を容易に設定可能な携帯型音楽再生装置及びカラオケシステムを提供することを目的とする。
【課題を解決するための手段】
【００２０】
上記目的を達成するため、請求項１に記載の発明は、複数の楽曲のそれぞれについて、楽曲演奏に使用する演奏情報と、楽曲を特定するための楽曲情報と、を関連づけて記憶された記憶手段と、前記記憶手段に格納されている複数の楽曲の中から選択された楽曲に対応する演奏情報に基づいて、再生音声信号を生成し出力する再生手段と、を有する携帯型音楽再生装置であって、複数の楽曲の中から選択された楽曲を再生可能なカラオケ装置との間で各種情報を送受信可能な通信手段と、外部からの音声信号を取得可能な音声信号取得手段と、前記カラオケ装置で再生される再生楽曲に対応する情報が前記記憶手段に格納されているか検索する再生楽曲検索手段と、前記再生楽曲検索手段により検索された楽曲に対応する演奏情報に基づいて生成される第２音声信号と、前記音声信号取得手段によって取得された第１音声信号とを比較し、音階の違いを特定可能なキー解析手段と、該キー解析手段による解析情報を前記カラオケ装置に送信するキー設定手段と、を有することを特徴とする。
【００２１】
請求項２に記載の発明は、複数の楽曲の中から選択された楽曲に対応する第１演奏情報に基づいて当該楽曲を再生可能なカラオケ装置と、前記カラオケ装置と各種情報を送受信可能な携帯型音楽再生装置と、で構成されるカラオケシステムにおいて、前記携帯型音楽再生装置は、複数の楽曲のそれぞれについて、楽曲演奏に使用する第２演奏情報と、楽曲を特定するための楽曲情報と、を関連づけて記憶された記憶手段と、前記複数の楽曲の中から選択された楽曲に対応する第２演奏情報に基づいて、再生音声信号を生成し出力する再生手段と、外部からの音声信号を取得可能な音声信号取得手段と、前記カラオケ装置で再生される再生楽曲に対応する情報が前記第記憶手段に格納されているか検索する再生楽曲検索手段と、前記再生楽曲検索手段により検索された楽曲に対応する第２演奏情報に基づいて生成される第２音声信号と、前記音声信号取得手段によって取得された第１音声信号とを比較し、音階の違いを特定可能なキー解析手段と、前記キー解析手段による解析情報を前記カラオケ装置に送信するキー設定手段と、を有し、前記カラオケ装置は、前記キー設定手段によって送信された解析情報に基づいて、前記第１演奏情報に所定の信号処理を施して再生楽曲の音階を変更可能であることを特徴とする。
【００２２】
請求項３に記載の発明は、請求項２に記載のカラオケシステムにおいて、前記音声信号取得手段は、ライン入力手段またはマイク入力手段を含み、前記キー解析手段は、前記第２演奏情報に基づいて生成されたアナログ音声信号を前記第１音声信号とし、前記ライン入力手段または前記マイク入力手段から入力されたアナログ音声信号を前記第２音声信号として、両者の音階の違いを特定することを特徴とする。
【００２３】
請求項４に記載の発明は、請求項２に記載のカラオケシステムにおいて、前記音声信号取得手段は、ライン入力手段またはマイク入力手段を含み、前記キー解析手段は、前記第２演奏情報に基づいて生成されたディジタル音声信号を前記第１音声信号とし、前記ライン入力手段または前記マイク入力手段から入力されたアナログ音声信号をディジタル変換したディジタル音声信号を前記第２音声信号として、両者の音階の違いを特定することを特徴とする。
【００２４】
請求項５に記載の発明は、請求項２に記載のカラオケシステムにおいて、前記音声信号取得手段は、前記カラオケ装置から送信された前記再生楽曲に対応する第１演奏情報を取得可能で、前記キー解析手段は、前記第２演奏情報に基づいて生成されたディジタル音声信号を前記第１音声信号とし、前記音声信号取得手段により前記第１演奏情報に基づいて生成されたディジタル音声信号を前記第２音声信号として、両者の音階の違いを特定することを特徴とする。
【００２５】
請求項６に記載の発明は、請求項２から５のいずれか一項に記載のカラオケシステムにおいて、前記再生楽曲検索手段は、前記カラオケ装置で再生される再生楽曲に対応する楽曲情報を要求するとともに、前記カラオケ装置から提供された楽曲情報と前記記憶手段に格納されている楽曲情報とを比較することにより、当該再生楽曲に対応する情報が前記記憶手段に格納されているか検索することを特徴とする。
【００２６】
請求項７に記載の発明は、請求項２から６のいずれか一項に記載のカラオケシステムにおいて、前記キー解析手段は、前記カラオケ装置における楽曲の再生処理が開始されてから、当該楽曲の再生が終了するまで、繰り返しキー解析処理を行うことを特徴とする。
【発明の効果】
【００２７】
本発明によれば、カラオケ装置と携帯型音楽再生装置とを通信可能とし、カラオケ装置は、携帯型音楽再生装置によって設定され送信されたキー情報（解析情報）に基づいて、再生される楽曲の音階を変更するので、利用者がカラオケ装置において、普段、携帯型音楽再生装置で聴いている楽曲を選曲した際に、所望の音階が容易に設定されることとなり、利用者が音階の違いに対して違和感を覚えるのを防止できる。
【発明を実施するための最良の形態】
【００２８】
以下、本発明の実施の形態を図面に基づいて説明する。
図１は、本発明に係るカラオケシステムの一例を示す概念図である。図１に示すように、本実施形態のカラオケシステムは、カラオケ装置１００と、携帯型音楽再生装置としてのディジタルオーディオプレイヤー（以下、ＤＡＰと称する）２００と、を備えて構成される。なお、図１中、（）内の符号は、後述する図２、図３のブロック図における符号を示している。
【００２９】
本実施形態のカラオケシステムにおいて、カラオケ装置１００は、複数の楽曲の中から選択された楽曲に対応する演奏情報に基づいて当該楽曲を再生する。また、カラオケ装置１００とＤＡＰ２００との間で各種情報を送受信可能とされる。すなわち、カラオケ装置１００の通信接続部１１０と、ＤＡＰ２００の通信接続部２１０は、両者間で通信情報を送受信することにより、通信リンクを確立する。
【００３０】
ＤＡＰ２００の曲検索部２２０は、カラオケ装置１００で再生される再生楽曲に対応する楽曲情報を要求し、カラオケ装置１００はデータベース１２０から当該再生楽曲に対応する楽曲情報をＤＡＰ２００に提供する。そして、曲検索部２２０は、提供された楽曲情報に基づいて、当該楽曲に対応する情報がＤＡＰ２００に格納されているか検索し、格納されている場合にはこの楽曲に対応する演奏情報をキー解析部２３０に供給する。
【００３１】
キー解析部２３０は、曲検索部２２０からの演奏情報に基づいて生成された第２音声信号と、カラオケ装置１００から出力された再生音に基づいて生成された第１音声信号とを比較し、両者間の音程の違いを特定する。そして、キー設定部２４０は、キー解析部２３０における解析結果に基づいて、キー情報（例えば、半音上げることを示す「＋１」等）をカラオケ装置１００に送信する。
【００３２】
一方、カラオケ装置１００において、キー検出部１４０は、キー設定部２４０からのキー情報を検出すると、このキー情報に基づいて再生楽曲の音階を変更するように再生部１３０に命令する。そして、再生部１３０は、キー情報に基づいて再生する楽曲の音階を変更して、ＤＡＰ２００からのキー変更指示を反映した再生音を出力する。
【００３３】
図２は、本実施形態のカラオケシステムを構成するカラオケ装置１００の一例を示すブロック図である。
カラオケ装置１００は、ストレージ１０１と、再生処理部１０２と、音声出力部１０３と、制御部１０４と、操作部１０５と、通信接続部１０６と、を備えて構成される。従来のカラオケ装置１００Ａ（図７参照）と比較して、ＤＡＰ２００との通信接続部１０６が設けられている点が異なる。
【００３４】
ストレージ１０１は、例えば、ハードディスクドライブで構成され、複数の楽曲のそれぞれについて、楽曲演奏に使用する第１演奏情報（例えば、リニアＰＣＭ形式のディジタル音声データ）と、楽曲を特定するための第１楽曲情報と、を関連づけたデータベースが格納されている。ここで、楽曲情報には、選曲に使用する曲番号、曲名、アーティスト名、アルバム名、ジャンル名、年代、作曲家名、作詞家名、テンポ等の情報が含まれる。
【００３５】
再生処理部１０２は、ストレージ１０１に格納されている第１演奏情報にデコード処理、Ｄ／Ａ変換処理等の所定の信号処理を施してアナログの再生音声信号を生成する。また、再生処理部１０２は、第１演奏情報に楽曲の音程を変更するための信号処理を施して再生音声の音階を変更することができる。
【００３６】
音声出力部１０３は、再生処理部１０２によって生成された再生音声信号を増幅して出力する。例えば、カラオケ装置１００に接続されたスピーカから音声を出力させたり、音声ケーブルを接続して他の音響機器にアナログ音声信号をライン出力させたりする。
【００３７】
操作部１０５は、例えば、カラオケ装置本体に備えられた操作ボタン、または、リモコン装置に備えられた操作ボタンであり、操作部１０５からの入力信号が制御部１０４に出力され、制御部１０４はこれに基づいて各ブロックの動作を制御する。
【００３８】
通信接続部１０６は、無線ＬＡＮやＢｌｕｅｔｏｏｔｈ等の所定の無線通信規格に対応し、ＤＡＰ２００との間で各種情報を送受信可能に構成される。例えば、両者間の通信リンクを確立するための通信情報や、楽曲を特定するための楽曲情報、楽曲のキー設定を行うためのキー情報、制御情報等を送受信することができる。
【００３９】
制御部１０４は、ＣＰＵ、ＲＡＭ、ＲＯＭなどを備えて構成されており、操作部１０５からの入力信号等に基づいて各ブロックの動作を制御する。例えば、操作部１０５において選曲操作が行われた場合は、ストレージ１０１から再生させる楽曲に対応する第１演奏情報を読み出し、再生処理部１０２において再生処理を実行させる。また、操作部１０５においてキー変更操作が行われた場合は、再生処理部１０２において第１演奏情報を再生処理させる際に、キー変更のための信号処理を実行させる。
【００４０】
本実施形態のカラオケ装置１００は、ＤＡＰ２００と通信可能に構成されており、ＤＡＰ２００から送信された楽曲の音階を変更するためのキー情報を受信すると、このキー情報に基づいて楽曲の音階を変更するようになっている。
【００４１】
図３は、本実施形態のカラオケシステムを構成するＤＡＰ２００の一例を示すブロック図である。
ＤＡＰ２００は、操作部２０１と、ストレージ２０２と、再生処理部２０３と、音声出力部２０４と、制御部２０５と、音声入力部２０６と、通信接続部２０７と、を備えて構成される。従来のＤＡＰ２００Ａ（図９参照）と比較して、カラオケ装置１００との通信接続部２０７と、外部からの音声入力部２０６が設けられている点が異なる。
【００４２】
操作部２０１は、例えば、ＤＡＰ本体に備えられた操作ボタンであり、操作部２０１からの入力信号が制御部２０５に出力され、制御部２０５はこれに基づいて各ブロックの動作を制御する。
【００４３】
ストレージ２０２は、例えば、ハードディスクドライブやフラッシュメモリ等で構成され、複数の楽曲のそれぞれについて、楽曲演奏に使用する第２演奏情報（例えば、ＭＰ３形式のディジタル音声データ）と、楽曲を特定するための第２楽曲情報と、を関連づけたデータベースが格納されている。ここで、楽曲情報には、曲名、アーティスト名、アルバム名、ジャンル名、年代、作曲家名、作詞家名、テンポ等の各種情報が含まれる。
【００４４】
再生処理部２０３は、ストレージ２０２に格納されている第２演奏情報にデコード処理、Ｄ／Ａ変換処理等の所定の信号処理を施してアナログの再生音声信号を生成する。
【００４５】
音声出力部２０４は、再生処理部２０３によって生成された再生音声信号を増幅して出力し、例えば、出力端子に接続されたヘッドホンから音声を出力させる。
【００４６】
音声入力部２０６は、外部からの音声信号を取得可能に構成される。例えば、音声入力部２０６はライン入力手段を有し、カラオケ装置１００からライン出力されたアナログ音声信号をライン入力により取得する。また、音声入力部２０６はマイク入力手段を有し、カラオケ装置１００に接続されたスピーカから出力された再生音をアナログ音声信号に変換する。
【００４７】
通信接続部２０７は、無線ＬＡＮやＢｌｕｅｔｏｏｔｈ等の所定の無線通信規格に対応し、カラオケ装置１００との間で各種情報を送受信可能に構成される。例えば、両者間の通信リンクを確立するための通信情報や、楽曲を特定するための楽曲情報、楽曲のキー設定を行うためのキー情報、制御情報等を送受信することができる。
【００４８】
制御部２０５は、ＣＰＵ、ＲＡＭ、ＲＯＭなどを備えて構成されており、操作部２０１からの入力信号等に基づいて各ブロックの動作を制御する。例えば、操作部２０５において楽曲の再生操作が行われた場合は、ストレージ２０２から再生させる楽曲に対応する第２演奏情報を読み出し、再生処理部２０３において再生処理を実行させる。
【００４９】
本実施形態のＤＡＰ２００は、ストレージ２０２に格納されておりＤＡＰ２００で再生可能な楽曲が、カラオケ装置１００において選曲された場合に、両者を比較して音階の違いを特定するとともに、カラオケ装置１００において楽曲の音階を変更させるためのキー情報を送信する。
【００５０】
すなわち、制御部２０５は再生楽曲検索手段として機能し（図１の符号２２０）、カラオケ装置１００で再生される再生楽曲に対応する情報（演奏情報、楽曲情報）がストレージ２０２に格納されているか検索する。
【００５１】
また、キー解析手段として機能し（図１の符号２３０）、再生楽曲検索手段により検索された楽曲に対応する第２演奏情報に基づいて生成される第２音声信号と、音声入力部２０６によって取得された第１音声信号とを比較し、両者の音階の違いを特定する。
【００５２】
さらに、キー設定手段として機能し（図１の符号２４０）、キー解析手段による解析結果に基づいて、キー情報（解析情報）をカラオケ装置１００に送信する。
【００５３】
本実施形態のカラオケシステムは、上述したカラオケ装置１００とＤＡＰ２００で構成され、カラオケ装置１００は、ＤＡＰ２００によって設定されたキー情報（解析情報）に基づいて再生楽曲の音階を変更するので、利用者がカラオケ装置１００において、普段、ＤＡＰ２００で聴いている楽曲を選曲した際に、所望の音階が容易に設定されることとなる。
【００５４】
次に、本実施形態のカラオケシステムにおいて行われる楽曲のキー変更について説明する。具体的には、ＤＡＰ２００においてキー設定処理が実行され、カラオケ装置１００の曲再生制御処理においてキー変更処理が実行される。
【００５５】
図４は、ＤＡＰ２００において実行されるキー変更処理の一例を示すフローチャートである。このキー設定処理は、制御部２０５によって所定のプログラムが実行されることにより行われる。例えば、ＤＡＰ２００の電源が投入されることに伴い、キー設定処理が実行されるものとする。
【００５６】
また、本実施形態では、カラオケ装置１００において再生される楽曲の音階と、ＤＡＰ２００が有する（ストレージ２０２に演奏情報が格納されていることを意味する）楽曲の音階とを比較するにあたり、マイク入力またはライン入力により取得されたアナログ音声信号を利用する。
【００５７】
まず、ステップＳ１０１で、ＤＡＰ２００はカラオケ装置１００と通信可能であるか、すなわち、カラオケ装置１００との通信リンクが確立されているか判定する。例えば、ＤＡＰの通信接続部２０７とカラオケ装置の通信接続部１０６との間で通信情報の送受信を行うことで通信リンクは確立される。そして、通信リンクが確立されていると判定した場合はステップＳ１０２に移行し、通信リンクが確立されていないと判定した場合は、ＤＡＰ２００と通信可能なカラオケ装置が通信可能範囲内に存在しないこととなるので、処理を終了する。
【００５８】
ステップＳ１０２では、通信可能なカラオケ装置１００に対して当該カラオケ装置１００で再生される再生楽曲に対応する楽曲情報（例えば、曲名、アーティスト名等）を要求する。具体的には、カラオケ装置１００に当該再生楽曲に対応する第１楽曲情報を送信させるための制御信号を送信する。この要求に対して、カラオケ装置１００では、当該再生楽曲に対応する第１楽曲情報がストレージ１０１から読み出されて送信されることとなる。
【００５９】
ステップＳ１０３では、再生楽曲がＤＡＰ２００内にあるか、すなわち、再生楽曲に対応する情報がストレージ２０２に格納されているか判定する。具体的には、ステップＳ１０２の要求に対してカラオケ装置１００から送信された第１楽曲情報と、ストレージ２０２に格納されている第２楽曲情報とを比較することにより、再生楽曲がＤＡＰ２００内にあるか判断する。なお、ステップＳ１０３における判定は、第１楽曲情報と第２楽曲情報が完全に一致するか否かで判断する必要はなく、例えば、曲名とアーティスト名が一致していれば、再生楽曲がＤＡＰ２００内にあると判断してよい。
【００６０】
ステップＳ１０３において、再生楽曲がＤＡＰ２００内にないと判定した場合は、当該楽曲についてはＤＡＰ２００によるキー設定はできないので、そのまま処理を終了する。なお、この場合、カラオケ装置１００において次の楽曲の再生が開始されることに伴い、ステップＳ１０１からの処理が実行されるようにする。
【００６１】
一方、ステップＳ１０３において、再生楽曲がＤＡＰ２００内にあると判定した場合は、音声入力部２０６からアナログの再生音声信号（第１音声信号）を取得する（ステップＳ１０４）。例えば、カラオケ装置１００からライン出力された再生音声信号をライン入力により取得する。或いは、カラオケ装置１００に接続されたスピーカからの再生音をマイクで取得し、アナログ音声信号に変換して第１音声信号とする。
【００６２】
このとき、マイクを利用した場合は、スピーカからの再生音だけでなく雑音が入力される虞があるので、音階の違いを正確に特定するためにはライン入力とするのが望ましい。ただし、マイク入力を利用した場合は、音声ケーブルでライン入出力端子を接続する必要はないので、手軽に利用できるという利点がある。
【００６３】
ステップＳ１０５では、ステップＳ１０４において取得された第１音声信号についてキー解析処理を行う。具体的には、前記第１音声信号と、ストレージ２０２に格納されている当該再生楽曲に対応する第２演奏情報に基づいて生成された第２音声信号とを比較して、キー解析を行う。
【００６４】
すなわち、カラオケ装置１００で再生された楽曲の音階が、普段ＤＡＰ２００で聴いている当該楽曲の音階とどの程度ずれているか特定する。例えば、第２音声信号に対して第１音声信号の音階がどの程度上か下かを半音単位で特定する。
【００６５】
ステップＳ１０６では、ステップＳ１０５におけるキー解析結果に基づいて、カラオケ装置１００で再生されている楽曲の音階と、ＤＡＰ２００が有する当該再生楽曲の音階とが違うか判定する。
【００６６】
ステップＳ１０６で両者の音階が異なると判定した場合は、カラオケ装置１００において音階を変更させるためのキー情報を制御信号に付加して送信し、キー変更を要求する（ステップＳ１０７）。ここで、キー情報は、半音単位で特定された音階の違いに基づいて、例えば、±１，２，・・で表すことができる。例えば、半音下げる要求は「−１」、全音上げる要求は「＋２」として表せばよい。
【００６７】
その後、ステップＳ１０４に移行してステップＳ１０４〜Ｓ１０７の処理を繰り返す。これにより、ステップＳ１０７におけるキー変更の要求がカラオケ装置１００において正常に反映されているかを確認できる。また、カラオケ装置１００において一度のキー変更の要求で正確に音階を調整できない場合でも、ステップＳ１０４〜Ｓ１０７の処理を繰り返すことで、最終的にはカラオケ装置１００における再生楽曲の音階を、ＤＡＰ２００が有する当該再生楽曲の音階に合わせることができる。
【００６８】
一方、ステップＳ１０６で両者の音階は同じであると判定した場合は、ステップＳ１０４に移行してステップＳ１０４〜Ｓ１０７の処理を繰り返す。これにより、再生楽曲が終了するまで、カラオケ装置１００における再生楽曲の音階とＤＡＰ２００が有する当該再生楽曲の音階とが同じになっているか監視できるので、例えば、楽曲の途中で音階がずれた場合でも対応できる。
【００６９】
なお、図４のフローチャートでは、ステップＳ１０４〜Ｓ１０７の処理が延々と繰り返されることとなるが、ステップＳ１０４で再生音声信号が取得できない場合は、カラオケ装置１００において楽曲の再生が終了したものと判断できるので、その時点でキー設定処理を終了させればよい。
【００７０】
また、ステップＳ１０４で再生音声信号が取得できない場合は、キー設定処理を一時中断しておき、再生音声信号の取得が再開された（次の楽曲の再生が開始）場合にステップＳ１０１からの処理を実行するようにしてもよい。
【００７１】
図５は、カラオケ装置１００における曲再生制御処理の一例について示したフローチャートである。この曲再生制御処理は、制御部１０４によって所定のプログラムが実行されることにより行われる。
【００７２】
まず、ステップＳ２０１において、制御部１０４は、操作部１０５からの入力信号に基づいて曲番号が入力され選曲されたか判定し、曲番号が入力された場合はステップＳ２０２に移行する。
【００７３】
ステップＳ２０２では、入力された曲番号に基づいてデータベース１０１を検索する（曲検索処理）。そして、入力された曲番号に対応する楽曲が検索された場合は、当該楽曲に対応する第１演奏情報を読み出し、曲再生処理の準備をする。一方、入力された曲番号に対応する楽曲が検索されなかった場合は、ステップＳ２０１に移行し、選曲があるまで待機することとなる。
【００７４】
ステップＳ２０３では、ＤＡＰ２００から楽曲情報の要求があったか判定する。すなわち、図４のステップＳ１０２においてＤＡＰ２００から送信された制御信号を受信したか判定する。そして、ステップＳ２０３で、ＤＡＰ２００から楽曲情報の要求があったと判定した場合は、再生楽曲に対応する第１楽曲情報をデータベース１０１から読み出して、ＤＡＰ２００に送信する（ステップＳ２０４）。ステップＳ２０３で、ＤＡＰ２００から楽曲情報の要求がないと判定した場合は、そのままステップＳ２０５に移行する。
【００７５】
ステップＳ２０５では、操作部１０５からの入力信号に基づいて楽曲の音階を変更する（キー変更処理）。具体的には、利用者が操作部１０５に設けられたキー変更ボタンを操作することによりキー変更を指示した場合に、制御部１０４は再生処理部１０２にキー変更を命令する。なお、利用者によってキー変更の指示がなされていないときは、このキー変更処理は実行されない。
【００７６】
ステップＳ２０６では、ステップＳ２０２において読み出された第１演奏情報に基づいて、再生処理部１０２に曲再生処理を行わせる。具体的には、第１演奏情報にデコード処理やＤ／Ａ変換処理を施してアナログの再生音声信号を生成させる。このとき、ステップＳ２０５においてキー変更が指示されている場合は、元の演奏情報（データベース１０１から読み出された第１演奏情報）にキー変更を反映する信号処理を施して、再生音声信号を生成することとなる。
【００７７】
ステップＳ２０７では、ＤＡＰ２００からキー変更の要求があったか判定する。すなわち、図４のステップＳ１０７においてＤＡＰ２００から送信された制御信号（キー情報を含む）を受信したか判定する。そして、ステップＳ２０７でＤＡＰ２００からキー変更の要求があったと判定した場合は、受信したキー情報に基づいて、制御部１０４は再生処理部１０２にキー変更を命令する（ステップＳ２０５）。すなわち、カラオケ装置１００で再生される楽曲の音階は、利用者がＤＡＰ２００で普段聴いている音階となるように調整される。
【００７８】
一方、ステップＳ２０７でＤＡＰ２００からキー変更の要求がないと判定した場合は、楽曲の再生が終了したか判定する（ステップＳ２０８）。そして、ステップＳ２０８で楽曲が終了したと判定した場合は、ステップＳ２０１に移行して次の選曲があるまで待機する。また、ステップＳ２０８で楽曲が終了していない（再生中）と判定した場合は、ステップＳ２０３〜Ｓ２０８の処理を繰り返す。
【００７９】
すなわち、楽曲を再生している途中で、カラオケ装置１００の操作部１０５からキー変更の指示がなされた場合、またはＤＡＰ２００からキー情報が送信されてキー変更の指示がなされた場合は、それ以降の曲再生においてキー変更が反映されることとなる。
【００８０】
以上説明したように、本実施形態のカラオケシステムによれば、カラオケ装置１００は、ＤＡＰ２００によって設定されたキー情報（解析情報）に基づいて再生楽曲の音階を変更するので、利用者がカラオケ装置１００において、普段、ＤＡＰ２００で聴いている楽曲を選曲した際に、所望の音階が容易に設定されることとなり、利用者が音階の違いに対して違和感を覚えるのを防止できる。
【００８１】
また、利用者は、カラオケ装置１００で再生されている楽曲の音階を普段ＤＡＰ２００で聴いている音階に合わせるためにキー変更を指示する操作をする必要はないので、当該楽曲の歌唱に集中することができる。
【００８２】
（変形例）
図６は、本発明に係るカラオケシステムの変形例を示す概念図である。
図６に示すように、本変形例のカラオケシステムは、カラオケ装置１００と、携帯型音楽再生装置としてのディジタルオーディオプレイヤー（以下、ＤＡＰと称する）２００と、を備えて構成され、カラオケ装置１００とＤＡＰ２００との間で各種情報を送受信可能とされる。
【００８３】
図１に示すカラオケシステムでは、ＤＡＰ２００は音声入力部（ライン入力、マイク入力）２０６から再生音に基づくアナログの再生音声信号（第１音声信号）を取得し、キー解析部２３０で前記第１音声信号と、曲検索部２２０で検索された楽曲に対応する演奏情報に基づく第２音声信号とを比較するのに対して、変形例では、ＤＡＰ２００は、カラオケ装置１００から再生楽曲に対応する演奏情報（ディジタル音声信号）を取得し、これを第１音声信号とするようにしている。例えば、通信接続部２１０と通信接続部１１０との間で演奏情報の送受信を可能に構成することで、ディジタル音声信号の送受信を容易に行うことができる。
【００８４】
したがって、キー解析部２３０では、劣化のない２つのディジタル音声信号を比較することとなるので、楽曲の音階の違いを正確かつ容易に特定できるようになる。また、この場合、音声入力部２０６を設ける必要はなくなるので、小型・軽量化を図ることができる。また、ＤＡＰ２００とカラオケ装置１００との間は無線接続となるので、利用者は手軽に利用することができる。
【００８５】
以上、本発明者によってなされた発明を実施形態に基づいて具体的に説明したが、本発明は上記実施形態に限定されるものではなく、その要旨を逸脱しない範囲で変更可能である。
【００８６】
例えば、従来の携帯型音楽再生装置であっても、カラオケ装置１００との間で各種情報を送受信可能とする通信手段と、再生楽曲の再生音の入力手段（マイク）を備えた構成であれば、可搬型記憶媒体を利用して図４のキー設定処理を実行させるプログラムをインストールすることで、本発明に係る携帯型音楽再生装置を実現することができる。
【００８７】
また、本明細書では、カラオケ装置において再生される楽曲の音階を、利用者が普段携帯型音楽再生装置で聴いている楽曲の音階に合わせるように変更することについて説明したが、楽曲のテンポ等、楽曲の特性一般について適用できる可能性がある。
【００８８】
また、上記実施形態では、カラオケ装置１００からの再生楽曲に基づくアナログ音声信号を第１音声信号とし、ＤＡＰ２００が有する当該再生楽曲に対応する第２演奏情報（ディジタル音声信号）に基づいて生成されたアナログ音声信号を第２音声信号としてキー解析を行うようにしているが、カラオケ装置１００からの再生楽曲に基づくアナログ音声信号をディジタル変換したディジタル音声信号を第１音声信号としてもよい。この場合、ＤＡＰ２００では、２つのディジタル音声信号を比較してキー解析することとなるので、楽曲の音階の違いを正確かつ容易に特定できるようになる。
【００８９】
また、上記実施形態では、カラオケ装置１００の通信接続部１０６とＤＡＰ２００の通信接続部２０７を無線ＬＡＮやＢｌｕｅｔｏｏｔｈ等に従って無線通信させる場合について説明したが、有線ＬＡＮ等を利用して有線接続とできることはいうまでもない。また、カラオケ装置１００は、それ自身のストレージ１２０に演奏情報を含む曲データベースを有さない構成とすることもでき、いわゆる通信カラオケを利用した形態であってもよい。
【００９０】
また、上記実施形態では、携帯型音楽再生装置としてディジタルオーディオプレーヤ（ＤＡＰ）を例示して説明したが、ディジタルの演奏情報を記憶し、なおかつ通信機能を有するものであれば如何なる音楽再生装置であっても構わない。例えば、ＤＡＰ以外のものとして、音楽再生機能を有する携帯電話や携帯ゲーム機器などが挙げられる。
【図面の簡単な説明】
【００９１】
【図１】本発明に係るカラオケシステムの概念図である。
【図２】本実施形態のカラオケシステムを構成するカラオケ装置１００の概略構成を示すブロック図である。
【図３】本実施形態のカラオケシステムを構成するＤＡＰ２００の概略構成を示すブロック図である。
【図４】ＤＡＰ２００において実行されるキー変更処理を示すフローチャートである。
【図５】カラオケ装置１００における曲再生制御処理について示したフローチャートである。
【図６】本発明に係るカラオケシステムの変形例を示す概念図である。
【図７】従来のカラオケ装置１００Ａの概略構成を示すブロック図である。
【図８】従来のカラオケ装置１００Ａにおける曲再生制御処理について示したフローチャートである。
【図９】従来のＤＡＰ２００の概略構成を示すブロック図である。
【符号の説明】
【００９２】
１００  カラオケ装置
１１０  通信接続部
１２０  曲データベース（ストレージ）
１３０  再生部（再生処理部）
１４０  キー検出部
２００  ディジタルオーディオプレイヤー（携帯型音楽再生装置）
２１０  通信接続部
２２０  曲検索部
２３０  キー解析部
２４０  キー設定部
【図１】
2008216769.tif 000003
【図２】
2008216769.tif 000004
【図３】
2008216769.tif 000005
【図４】
2008216769.tif 000006
【図５】
2008216769.tif 000007
【図６】
2008216769.tif 000008
【図７】
2008216769.tif 000009
【図８】
2008216769.tif 000010
【図９】
2008216769.tif 000011